(57)【要約】      （修正有）【課題】あらゆる面、角度にワンタッチでセットでき半自動溶接、ガス切断の直線作業を、早く美しくできる溶接溶断ガイドレールを提供する。【解決手段】直線半自動溶接、溶断ガイドレールは本体ブラケット鉄製でアングル４０Ｘ５＝２００Ｌを加工マグネット円型、４０丸高さ３０を２個使用し、マグネットの離着がＬ型レバーを握ることでワンタッチでＯＫ。本体に取付け、溶接切断レールはアルミ製でアングル４０Ｘ３＝６００Ｌ両面に、溶接、切断で生じる熱を逃がすため２５ピッチで１５穴と１０穴を交互にあけ溶接、切断の長さがわかるようにし、溶接トーチ、切断火口のスライド面に電気が流れないように塩ビのシールを接着し、その上にステンレス製のＵ型レールをかぶせトーチと火口がスムーズに動くようにする。このレールをブラケットに取り付け完成。ブラケットとレールは１８０度回転し溶接時と切断時がワンタッチで行え重さも２ｋｇと軽い。【選択図】図３
0003150727.tif 000002
【実用新案登録請求の範囲】
【考案の詳細な説明】
直線半自動溶接、溶断ガイドレール（すなおくん）は本体ブラケット鉄製でアングル４０Ｘ５＝２００Ｌを加工マグネット円型、４０丸高さ３０を２個使用マグネットの離着がＬ型レバーを握ることでワンタッチでＯＫ．本体に取付け溶接、切断レールはアルミ製でアングル４０Ｘ３＝６００Ｌ両面に、溶接、切断で生じる熱を逃がすため２５ピッチで１５穴と１０穴を交互にあけ溶接、切断の長さが、わかり溶接トーチ、切断火口のスライド面に電気が流れないように塩ビのシールを接着し、その上にステンレス製のＵ型レールをかぶせトーチと火口がスムーズに動くように。このレールをブラケットに取り付け完成。ブラケットとレールは１８０度回転し溶接時と切断時がワンタッチで行なえ重さも２ｋｇと軽く魅力である。
0003150727.tif 000003
0003150727.tif 000004
0003150727.tif 000005
0003150727.tif 000006
【手続補正書】
【提出日】平成20年5月30日(2008.5.30)
【手続補正１】
【補正対象書類名】実用新案登録請求の範囲
【補正対象項目名】全文
【補正方法】変更
【補正の内容】
【実用新案登録請求の範囲】
【請求項１】
従来と言うより今現在職人と呼ばれる方であれば直線の溶接・溶断の際必ずと云っていいほど、ガイドレールを使用しているのが現状である。ただしガイドレールをセットするにあたって鉄製のＬ鋼・平鋼・丸鋼を利用したレールをスポット溶接または万力等の工具で溶接部・溶断部にセットし作業が終了後レールを取り外しの際、製品は傷つきやすくレール本体も電流の絶縁加工もされてないので溶接トーチ及びレール諸々が損傷し修正も要旨、かなり無駄な時間を要するそれを解消するにあたって考案したのが、アルミ製Ｌ鋼使用レールと溶接トーチのスライド面レール側にＵ型塩化ビニールシールを接着しその上にＵ型のステンレス製レールを取り付け電気の流れをストップ。レール面に、溶接・溶断による熱を逃がす為２５ピッチに、１５穴と１０穴を設け溶接・溶断のおよその距離がわかる。簡単に取り付け、取り外しができるよう４０丸のマグネットを使用。取り外し用のレバーを設けあらゆる角度面にセット対応し、レールを１８０度回転さすことで溶接＞溶断の直線作業を、楽に美しく・早く行なう事を可能にしたワンタッチガイドレール。
【手続補正２】
【補正対象書類名】明細書
【補正対象項目名】全文
【補正方法】変更
【補正の内容】
【考案の詳細な説明】
直線半自動溶接、溶断ガイドレール（図１−イ）本体ブラケット鉄製でアングル４０Ｘ５＝２００Ｌを加工、（図１−ロ）マグネット円型、４０丸高さ３０を２個使用マグネットの離着が（図１−ハ）Ｌ型レバーを握ることでワンタッチでＯＫ、本体に取付け溶接、切断レール（図２−１）はアルミ製でアングル４０Ｘ３＝６００Ｌ両面に、溶接、切断で生じる熱を逃がすため（図２−２）２５ピッチで１５穴と１０穴を交互にあけ溶接、切断の長さが、わかり溶接トーチ、切断火口のスライド面（図２−３）に電気が流れないように（図２−４）塩ビのシールを接着し、その上に（図２−５）ステンレス製のＵ型レールをかぶせトーチと火口がスムーズに動くようにこの（図２−１）レールを、（図１−イ）ブラケットに取り付け完成。ブラケットとレールは（図３−Ａ）１８０度回転し溶接時と切断時がワンタッチで行なえ重さも２ｋｇと軽く魅力である。
【図面の簡単な説明】
【図１】本体平面図
【図２】レール平面図
【図３】本体とレールを合わせた平面図
【手続補正３】
【補正対象書類名】図面
【補正対象項目名】全図
【補正方法】変更
【補正の内容】
【図１】
0003150727.tif 000007
【図２】
0003150727.tif 000008
【図３】
0003150727.tif 000009
【図４】
0003150727.tif 000010
【手続補正書】
【提出日】平成20年11月20日(2008.11.20)
【手続補正１】
【補正対象書類名】実用新案登録請求の範囲
【補正対象項目名】全文
【補正方法】変更
【補正の内容】
【実用新案登録請求の範囲】
【請求項１】
ワンタッチガイドレールは、溶接・溶断に対応、本体（図１）ブラケットにレール（図２）を合体したものである。
考案１      本体に、マグネット使用平面であれば取付場所３６０度対応。
考案２      溶接に対応、レールに塩化ビニールシールを接着、電流の絶縁加工。
考案３      溶断に対応、塩化ビニールシール面にステンレス製Ｕ型レールを取付。
考案４      レールに溶接・溶断による熱逃がしに１５ｍｍ穴と１０ｍｍ穴を２、５ｃｍピッチにあけスケールとして応用およその溶接・溶断の距離がわかる。
考案５      本体（図１）とレール（図２）合体後レールを１８０度回転さす事で溶接と溶断に対応できる。
考案６      ガイドレールを使用する際、決められた場所に取付、取り外しが、本体の握手と取付、取り外しレバーを握る事で簡単にできる。
◎    考案１〜６を本体鉄製Ｌ鋼と、レールアルミ製Ｌ鋼に加工をする事で溶接・溶断の直線作業を美しく、旱く簡単に行なう事を可能にしたのが、ワンタッチガイドレール。
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003150727.tif 000011
【図２】
0003150727.tif 000012
【図３】
0003150727.tif 000013
【手続補正書】
【提出日】平成21年2月22日(2009.2.22)
【手続補正１】
【補正対象書類名】実用新案登録請求の範囲
【補正対象項目名】全文
【補正方法】変更
【補正の内容】
【実用新案登録請求の範囲】
【請求項１】
溶接・溶断に対応、本体ブラケットにレールを合体したワンタッチガイドレールであって
（１）  本体ブラケットにマグネットを設け上下、横斜めと平面でれば、あらゆる場所に対応し、
（２）  溶接時に溶接トーチとレールとの、電流の絶縁加工に対応するため、レールに塩化ビニールシールを接着し、
（３）  溶断に対応するため、前記塩化ビニールシール面にステンレス製Ｕ型レールを取付し、
（４）  レールに溶接・溶断による熱逃がしに１５ｍｍ穴と１０ｍｍ穴を２、５ｃｍピッチにあけスケールとして応用可能であり、およその溶接・溶断の距離がわかるようにし、
（５）  本体ブラケットとレールを合体後レールを１８０度回転さす事で溶接と溶断に対応できるようにし
（６）  本体ブラケットに握手と取付、取り外しレバーを設け、握手と取付、取り外しレバーを握る事で、ガイドレールを使用する際に決められた場所に取付、取り外しが簡単にできるうにし、
（７）  本体ブラケットを鉄製Ｌ鋼に、レールをアルミ製Ｌ鋼に加工をする事で溶接・溶断の直線作業を美しく、早く簡単に行なう事を可能にした、以上からなるワンタッチガイドレール。